(57)【要約】【課題】ロケーション情報を簡便に提供できる情報提供システムを提供すること。【解決手段】この情報提供システム１０は、携帯電話機２０から送信されるアクセス要求情報の発行要求を受信する発行要求受信部１０１と、当該受信に応じてユーザに対応するアクセス要求情報を生成して携帯電話機２０に送信する情報生成送信部１０２と、当該送信されたアクセス要求情報を携帯電話機２０から取得した情報配信受付端末３０から、当該アクセス要求情報と共にＵＲＬ情報を受信する配信要求受信部１０６と、当該受信したアクセス要求情報とＵＲＬ情報とを関連付けてアクセス情報格納部１１０に格納する受信情報格納部１０７と、を含む。【選択図】　図１
2004070503.tif 000002
【特許請求の範囲】
【請求項１】
ユーザが使用するユーザ端末から送信されるアクセス要求情報の発行要求を受信する発行要求受信手段と、
当該発行要求の受信に応じて前記ユーザに対応するアクセス要求情報を生成して前記ユーザ端末に送信する情報生成送信手段と、
当該送信されたアクセス要求情報を前記ユーザ端末から取得した情報配信受付端末から、当該アクセス要求情報と共にネットワークにおいて特定の電子計算機を特定するためのロケーション情報を受信する配信要求受信手段と、
当該受信したアクセス要求情報とロケーション情報とを関連付けてアクセス情報格納手段に格納する受信情報格納手段と、
を含む情報提供システム。
【請求項２】
前記ユーザが使用するユーザ端末から当該ユーザに対応するアクセス要求情報を受信するアクセス要求受信手段と、
当該受信したアクセス要求情報に対応するロケーション情報を前記アクセス情報格納手段に格納されている情報から選択するロケーション情報選択手段と、
当該選択されたロケーション情報を前記ユーザ端末に送信するロケーション情報送信手段と、
を更に含む請求項１に記載の情報提供システム。
【請求項３】
発行要求受信手段が、ユーザが使用するユーザ端末から送信されるアクセス要求情報の発行要求を受信する発行要求受信ステップと、
情報生成送信手段が、当該発行要求の受信に応じて前記ユーザに対応するアクセス要求情報を生成して前記ユーザ端末に送信する情報生成送信ステップと、
当該送信されたアクセス要求情報を前記ユーザ端末から取得した情報配信受付端末から、配信要求受信手段が、当該アクセス要求情報と共にネットワークにおいて特定の電子計算機を特定するためのロケーション情報を受信する配信要求受信ステップと、
受信情報格納手段が、当該受信したアクセス要求情報とロケーション情報とを関連付けてアクセス情報格納手段に格納する受信情報格納ステップと、
を含む情報提供方法。
【請求項４】
アクセス要求受信手段が、前記ユーザが使用するユーザ端末から当該ユーザに対応するアクセス要求情報を受信するアクセス要求受信ステップと、
ロケーション情報選択手段が、当該受信したアクセス要求情報に対応するロケーション情報を前記アクセス情報格納手段に格納されている情報から選択するロケーション情報選択ステップと、
ロケーション情報送信手段が、当該選択されたロケーション情報を前記ユーザ端末に送信するロケーション情報送信ステップと、
を更に含む請求項３に記載の情報提供方法。
【請求項５】
コンピュータを、
ユーザが使用するユーザ端末から送信されるアクセス要求情報の発行要求を受信する発行要求受信手段と、
当該発行要求の受信に応じて前記ユーザに対応するアクセス要求情報を生成して前記ユーザ端末に送信する情報生成送信手段と、
当該送信されたアクセス要求情報を前記ユーザ端末から取得した情報配信受付端末から、当該アクセス要求情報と共にネットワークにおいて特定の電子計算機を特定するためのロケーション情報を受信する配信要求受信手段と、
当該受信したアクセス要求情報とロケーション情報とを関連付けてアクセス情報格納手段に格納する受信情報格納手段と、
して機能させるための情報提供プログラム。
【請求項６】
コンピュータを、
前記ユーザが使用するユーザ端末から当該ユーザに対応するアクセス要求情報を受信するアクセス要求受信手段と、
当該受信したアクセス要求情報に対応するロケーション情報を前記アクセス情報格納手段に格納されている情報から選択するロケーション情報選択手段と、
当該選択されたロケーション情報を前記ユーザ端末に送信するロケーション情報送信手段と、
して更に機能させるための情報提供プログラム。
【請求項７】
請求項５又は６に記載の情報提供プログラムが記録されたことを特徴とするコンピュータ読取可能な記録媒体。
【発明の詳細な説明】
【０００１】
【発明の属する技術分野】
本発明は、情報提供システム、情報提供方法、情報提供プログラム、及び、コンピュータ読取可能な記録媒体に関するものである。
【０００２】
【従来の技術】
ユーザが使用するデータ通信可能な携帯電話機といったユーザ端末を用いて、特定のサイトにアクセスして情報を得るためには、そのユーザ端末にサイトを特定するためのロケーション情報としてのＵＲＬ（Ｕｎｉｆｏｒｍ　Ｒｅｓｏｕｒｃｓ　Ｌｏｃａｔｏｒ）を入力してネットワークに送信する必要があった。また、特定のサイトにアクセスするために他のサイトを経由する必要がある場合もあった。
【０００３】
【発明が解決しようとする課題】
ユーザがユーザ端末にロケーション情報を入力する場合には、当然のことながらそのロケーション情報をユーザ自身が何らかの方法で知得する必要がある。従って、アクセスしたいサイトがあったとしてもロケーション情報を知らなければ情報を得ることができない場合がある。更には、サイト運営者側からは、特定のユーザにアクセスを許可したいが、他の一般ユーザにはサイトのロケーション情報自体を知らせたくない場合もある。従来の技術ではこのようなユーザ及びサイト運営者の要求に適切に対応するのは困難であった。
【０００４】
そこで本発明では、特定のユーザにロケーション情報を簡便に提供できる、情報提供システム、情報提供方法、情報提供プログラム、及び、コンピュータ読取可能な記録媒体を提供することを課題とする。
【０００５】
【課題を解決するための手段】
本発明の情報提供システムは、ユーザが使用するユーザ端末から送信されるアクセス要求情報の発行要求を受信する発行要求受信手段と、当該発行要求の受信に応じてユーザに対応するアクセス要求情報を生成してユーザ端末に送信する情報生成送信手段と、当該送信されたアクセス要求情報をユーザ端末から取得した情報配信受付端末から、当該アクセス要求情報と共にネットワークにおいて特定の電子計算機を特定するためのロケーション情報を受信する配信要求受信手段と、当該受信したアクセス要求情報とロケーション情報とを関連付けてアクセス情報格納手段に格納する受信情報格納手段と、を含む。
【０００６】
本発明の情報提供方法は、発行要求受信手段が、ユーザが使用するユーザ端末から送信されるアクセス要求情報の発行要求を受信する発行要求受信ステップと、情報生成送信手段が、当該発行要求の受信に応じてユーザに対応するアクセス要求情報を生成してユーザ端末に送信する情報生成送信ステップと、当該送信されたアクセス要求情報をユーザ端末から取得した情報配信受付端末から、配信要求受信手段が、当該アクセス要求情報と共にネットワークにおいて特定の電子計算機を特定するためのロケーション情報を受信する配信要求受信ステップと、受信情報格納手段が、当該受信したアクセス要求情報とロケーション情報とを関連付けてアクセス情報格納手段に格納する受信情報格納ステップと、を含む。
【０００７】
本発明の情報提供プログラムは、コンピュータを、ユーザが使用するユーザ端末から送信されるアクセス要求情報の発行要求を受信する発行要求受信手段と、当該発行要求の受信に応じてユーザに対応するアクセス要求情報を生成してユーザ端末に送信する情報生成送信手段と、当該送信されたアクセス要求情報をユーザ端末から取得した情報配信受付端末から、当該アクセス要求情報と共にネットワークにおいて特定の電子計算機を特定するためのロケーション情報を受信する配信要求受信手段と、当該受信したアクセス要求情報とロケーション情報とを関連付けてアクセス情報格納手段に格納する受信情報格納手段と、して機能させる。
【０００８】
本発明の情報提供システム及び情報提供方法によれば、ユーザからの発行要求に応じて生成したアクセス要求情報と、ロケーション情報とを関連付けて格納するので、個々のユーザとロケーション情報とを関連付けることができる。ロケーション情報は情報配信受付端末から送信されるので、例えば、情報配信受付端末においてその設定を変更することができる。また、コンピュータを用いて本発明の情報提供プログラムを実行しても同様の作用を奏する。
【０００９】
また本発明の情報提供システムでは、ユーザが使用するユーザ端末から当該ユーザに対応するアクセス要求情報を受信するアクセス要求受信手段と、当該受信したアクセス要求情報に対応するロケーション情報をアクセス情報格納手段に格納されている情報から選択するロケーション情報選択手段と、当該選択されたロケーション情報をユーザ端末に送信するロケーション情報送信手段と、を更に含むことが好ましい。ユーザ端末から送信されるアクセス要求情報に対応するロケーション情報をユーザ端末に返信するので、ユーザは個別に対応したロケーション情報を取得できる。
【００１０】
また本発明の情報提供方法では、アクセス要求受信手段が、ユーザが使用するユーザ端末から当該ユーザに対応するアクセス要求情報を受信するアクセス要求受信ステップと、ロケーション情報選択手段が、当該受信したアクセス要求情報に対応するロケーション情報をアクセス情報格納手段に格納されている情報から選択するロケーション情報選択ステップと、ロケーション情報送信手段が、当該選択されたロケーション情報をユーザ端末に送信するロケーション情報送信ステップと、を更に含むことが好ましい。ユーザ端末から送信されるアクセス要求情報に対応するロケーション情報をユーザ端末に返信するので、ユーザは個別に対応したロケーション情報を取得できる
【００１１】
また本発明の情報提供プログラムは、コンピュータを、ユーザが使用するユーザ端末から当該ユーザに対応するアクセス要求情報を受信するアクセス要求受信手段と、当該受信したアクセス要求情報に対応するロケーション情報をアクセス情報格納手段に格納されている情報から選択するロケーション情報選択手段と、当該選択されたロケーション情報をユーザ端末に送信するロケーション情報送信手段と、して更に機能させることが好ましい。ユーザ端末から送信されるアクセス要求情報に対応するロケーション情報をユーザ端末に返信するので、ユーザは個別に対応したロケーション情報を取得できる。
【００１２】
本発明のコンピュータ読取可能な記録媒体は、上記いずれかの情報提供プログラムが記録されている。コンピュータを用いて、本発明の記録媒体に記録された情報提供プログラムを実行すると、ユーザからの発行要求に応じて生成したアクセス要求情報と、ロケーション情報とを関連付けて格納するので、個々のユーザとロケーション情報とを関連付けることができる。ロケーション情報は情報配信受付端末から送信されるので、例えば、情報配信受付端末においてその設定を変更することができる。
【００１３】
【発明の実施の形態】
本発明の知見は、例示のみのために示された添付図面を参照して以下の詳細な記述を考慮することによって容易に理解することができる。引き続いて、添付図面を参照しながら本発明の実施の形態を説明する。可能な場合には、同一の部分には同一の符号を付して、重複する説明を省略する。
【００１４】
本発明の実施形態である情報提供システム１０について図１を用いて説明する。図１は情報提供システム１０を説明するための図である。情報提供システム１０は、携帯電話機（ユーザ端末）２０及び情報配信受付端末３０と通信可能に構成されている。情報提供システム１０と携帯電話機２０とは、移動体通信網（図示しない）を介して接続されており、相互に情報の送受信が可能なように構成されている。移動体通信網（図示しない）は、音声通話のための音声通信網と、データ通信のためのパケット通信網又はデータ通信のための回線交換網を含むものである。情報提供システム１０と情報配信受付端末３０とは専用回線（図示しない）を介して接続されており、相互に情報の送受信が可能なように構成されている。また本実施形態の場合、携帯電話機２０と情報配信受付端末３０とは、携帯電話機２０を情報配信受付端末３０の近傍に持っていくことで情報の送受信が可能なように構成されているが、通信回線を介して情報の送受信を行うことにしてもよく、更には、携帯電話機２０に表示される情報をユーザ等が読み取って情報配信受付端末３０に入力するようにしてもよい。
【００１５】
携帯電話機２０は、ユーザが利用するデータ通信機能を併せ持った携帯電話機である。情報配信受付端末３０は、物理的には、ＣＰＵ（中央処理装置）、メモリ、マウスやキーボードといった入力装置、ディスプレイといった表示装置、ハードディスクといった格納装置、モデムといった通信装置などを備えたコンピュータシステムとして構成されている。
【００１６】
情報提供システム１０は、物理的には、ＣＰＵ（中央処理装置）、メモリ、マウスやキーボードといった入力装置、ディスプレイといった表示装置、ハードディスクといった格納装置、モデムといった通信装置などを備えたコンピュータシステムとして構成されている。
【００１７】
情報提供システム１０は機能的な構成要素として、発行要求受信部（発行要求受信手段）１０１と、情報生成送信部（情報生成送信手段）１０２と、アクセス要求受信部（アクセス要求受信手段）１０３と、ロケーション情報選択部（ロケーション情報選択手段）１０４と、ロケーション情報送信部（ロケーション情報送信手段）１０５と、配信要求受信部（配信要求受信手段）１０６と、受信情報格納部（受信情報格納手段）１０７と、アクセス情報格納部（アクセス情報格納手段）１１０と、を含む。引き続いて、各構成要素について詳細に説明する。
【００１８】
発行要求受信部１０１は、ユーザが使用する携帯電話機２０から送信されるアクセス要求情報の発行要求を受信する部分である。より具体的には、特定のサイトにアクセスしようとするユーザが携帯電話機２０を用いて送信する、ユーザＩＤ及びパスワードを含む発行要求を受信し、その受信した発行要求を情報生成送信部１０２に出力する。
【００１９】
情報生成送信部１０２は、発行要求の受信に応じてユーザに対応するアクセス要求情報を生成して携帯電話機２０に送信する部分である。より具体的には、発行要求に含まれるユーザＩＤ及びパスワードに基づいて、ＩＤキーを生成し、更にアクセス番号を付与してアクセス要求情報とし携帯電話機２０に送信する。ＩＤキーは、認証のためのワンタイムパスワードであり、アクセス番号はアクセス要求情報を特定するための番号である。
【００２０】
ユーザは、携帯電話機２０でアクセス要求情報を受信すると、そのアクセス要求情報を情報配信受付端末３０に送信する。情報配信受付端末３０は、ユーザがアクセスしたいサイトを運営する者が設置している端末であり、ユーザはこの情報配信受付端末３０にネットワークを介してアクセス要求情報を送信してもよく、短距離の無線通信手段を用いて直接に受け渡すようにしてもよい。情報配信受付端末３０は受信したアクセス要求情報とＵＲＬ情報（ロケーション情報）とを情報提供システム１０に送信する。
【００２１】
配信要求受信部１０６は、情報生成送信部１０２が送信したアクセス要求情報を携帯電話機２０から取得した情報配信受付端末３０から、そのアクセス要求情報と共にＵＲＬ情報（ロケーション情報）を受信する部分である。配信要求受信部１０６は受信したアクセス要求情報及びＵＲＬ情報を受信情報格納部１０７に出力する。
【００２２】
受信情報格納部１０７は、配信要求受信部１０６が受信したアクセス要求情報とＵＲＬ情報とを関連付けてアクセス情報格納部１１０に格納する部分である。ここで、アクセス情報格納部１１０に格納される情報の例を図２に示す。図２の例に拠れば、アクセス情報格納部１１０には、ＩＤキーとアクセス番号とＵＲＬ情報とが関連付けられて格納されている。従って、ＩＤキーが「Ａ０１２３」でアクセス番号が「８５６７」であるユーザには、「ｈｔｔｐ：／／ｗｗｗ．ａａａ．ｃｏ．ｊｐ」のＵＲＬのサイトが関連付けられている。
【００２３】
アクセス要求受信部１０３は、携帯電話機２０からユーザに対応するアクセス要求情報を受信する部分である。アクセス要求受信部１０３は、受信したアクセス要求情報をロケーション情報選択部１０４に出力する。
【００２４】
ロケーション情報選択部１０４は、アクセス要求受信部１０３が受信したアクセス要求情報に対応するＵＲＬ情報を、アクセス情報格納部１１０に格納されている情報から選択する部分である。例えば、受信したアクセス要求情報のＩＤキーが「Ａ０１２３」でアクセス番号が「８５６７」であれば、「ｈｔｔｐ：／／ｗｗｗ．ａａａ．ｃｏ．ｊｐ」のＵＲＬ情報を選択してロケーション情報送信部１０５に出力する。
【００２５】
ロケーション情報送信部１０５は、ロケーション情報選択部１０４が選択したＵＲＬ情報を携帯電話機２０に送信する部分である。上述の例に拠れば、ＩＤキーが「Ａ０１２３」でアクセス番号が「８５６７」であるアクセス要求情報を送信してきた携帯電話機２０には、「ｈｔｔｐ：／／ｗｗｗ．ａａａ．ｃｏ．ｊｐ」のＵＲＬ情報が送信される。
【００２６】
引き続いて、情報提供システム１０を用いてＵＲＬ情報を格納する方法について図３を用いて説明する。図３は、情報提供システム１０を用いて、ユーザの要求に応じてＵＲＬ情報を格納する方法を示したフローチャートである。ユーザは携帯電話機２０を用いて情報提供システム１０にユーザＩＤ及びパスワードを含む発行要求を送信する（ステップＳ０１）。
【００２７】
情報提供システム１０の発行要求受信部１０１が携帯電話機２０から送信される発行要求を受信し情報生成送信部１０２に出力する（ステップＳ０２）。情報生成送信部１０２は、発行要求に含まれるユーザＩＤ及びパスワードに基づいて、ＩＤキーを生成し、更にアクセス番号を付与してアクセス要求情報とし携帯電話機２０に送信する（ステップＳ０３）。
【００２８】
携帯電話機２０は、ＩＤキー及びアクセス番号を受信する（ステップＳ０４）。ＩＤキー及びアクセス番号を受け取ったユーザは、その情報を情報配信受付端末３０に送信若しくは受け渡す（ステップＳ０５）。
【００２９】
情報配信受付端末３０は、ＩＤキー及びアクセス番号を受信若しくは受け取る（ステップＳ０６）。情報配信受付端末３０は、ユーザに閲覧させるサイトのＵＲＬ情報と共に、受信若しくは受け取ったＩＤキー及びアクセス番号を、情報提供システム１０に送信する（ステップＳ０７）。
【００３０】
情報配信受付端末３０から送信されたＩＤキーとアクセス番号とＵＲＬ情報とは、配信要求受信部１０６が受信し受信情報格納部１０７に出力する（ステップＳ０８）。受信情報格納部１０７は、ＩＤキーとアクセス番号とＵＲＬ情報とを関連付けてアクセス情報格納部１１０に格納する（ステップＳ０９）。
【００３１】
引き続いて、情報提供システム１０を用いてＵＲＬ情報を提供する方法について図４を用いて説明する。図４は、情報提供システム１０を用いて、ユーザの要求に応じてＵＲＬ情報を提供する方法を示したフローチャートである。ユーザは携帯電話機２０を用いて情報提供システム１０にＩＤキー及びアクセス番号を含むアクセス要求情報を送信する（ステップＳ１１）。
【００３２】
携帯電話機２０から送信されたＩＤキー及びアクセス番号は、情報提供システム１０のアクセス要求受信部１０３が受信し、ロケーション情報選択部１０４に出力する（ステップＳ１２）。
【００３３】
ロケーション情報選択部１０４は、ＩＤキー及びアクセス番号に対応するＵＲＬ情報を、アクセス情報格納部１１０に格納されている情報から選択し、ロケーション情報送信部１０５に出力する（ステップＳ１３）。ロケーション情報送信部１０５は、ロケーション情報選択部１０４が選択したＵＲＬ情報を携帯電話機２０に送信する（ステップＳ１４）。
【００３４】
携帯電話機２０は、情報提供システム１０から送信されたＵＲＬ情報を受信する（ステップＳ１５）。ＵＲＬ情報を受信したユーザは、そのＵＲＬ情報を用いて所定のサイトにアクセスすることができる（ステップＳ１６）。
【００３５】
次にコンピュータを、本実施形態の情報提供システム１０として機能させるための情報提供プログラム９２及びそれが記録されているコンピュータ読取可能な記録媒体９について説明する。図５は、情報提供プログラム９２が記録されている記録媒体９の構成を示した図である。記録媒体９としては、例えば、磁気ディスク、光ディスク、ＣＤ−ＲＯＭ、コンピュータに内蔵されたメモリなどが該当する。
【００３６】
記録媒体９は、図５に示すように、プログラムを記録するプログラム領域９１と、データを記録するデータ領域９３とを備えている。データ領域９３には、図１を用いて説明したアクセス情報格納部１１０と同様のアクセス情報データベース９３１が格納されている。
【００３７】
プログラム領域９１には、ユーザ認証プログラム９２が記録されている。ユーザ認証プログラム９２は、処理を統括するメインモジュール９２１と、発行要求受信モジュール９２２と、情報生成送信モジュール９２３と、アクセス要求受信モジュール９２４と、ロケーション情報選択モジュール９２５と、ロケーション情報送信モジュール９２６と、配信要求受信モジュール９２７と、受信情報格納モジュール９２８とを備える。ここで、発行要求受信モジュール９２２、情報生成送信モジュール９２３、アクセス要求受信モジュール９２４、ロケーション情報選択モジュール９２５、ロケーション情報送信モジュール９２６、配信要求受信モジュール９２７、受信情報格納モジュール９２８のそれぞれを動作させることによって実現する機能は、上記情報提供システム１０の発行要求受信部１０１、情報生成送信部１０２、アクセス要求受信部１０３、ロケーション情報選択部１０４、ロケーション情報送信部１０５、配信要求受信部１０６、受信情報格納部１０７のそれぞれの機能と同様である。
【００３８】
本実施形態の作用及び効果について説明する。ユーザからの発行要求に応じて生成したアクセス要求情報（ＩＤキー及びアクセス番号）と、ＵＲＬ情報とを関連付けて格納するので、個々のユーザとＵＲＬ情報とを関連付けることができる。ＵＲＬ情報は情報配信受付端末３０から送信されるので、情報配信受付端末３０においてその設定を変更することができる。
【００３９】
また、ユーザが使用する携帯電話機２０から送信されるアクセス要求情報（ＩＤキー及びアクセス番号）に対応するＵＲＬ情報を携帯電話機２０に返信するので、ユーザは個別に対応したＵＲＬ情報を取得できる。
【００４０】
【発明の効果】
本発明によれば、ユーザからの発行要求に応じて生成したアクセス要求情報と、ロケーション情報とを関連付けて格納するので、個々のユーザとロケーション情報とを関連付けることができる。ロケーション情報は情報配信受付端末から送信されるので、例えば、情報配信受付端末においてその設定を変更することができる。従って本発明の目的とする、特定のユーザにロケーション情報を簡便に提供できる、情報提供システム、情報提供方法、情報提供プログラム、及び、コンピュータ読取可能な記録媒体を提供することができた。
【図面の簡単な説明】
【図１】本発明の実施形態である情報提供システムを説明するための図である。
【図２】図１の認証情報格納部に格納される情報の例を示した図である。
【図３】図１の情報提供システムを用いてＵＲＬ情報を格納する方法を示したフローチャートである。
【図４】図１の情報提供システムを用いてＵＲＬ情報を提供する方法を示したフローチャートである。
【図５】本発明の実施形態である情報提供プログラムを説明するための図である。
【符号の説明】
１０…情報提供システム、２０…携帯電話機、３０…情報配信受付端末、１０１…発行要求受信部、１０２…情報生成送信部、１０３…アクセス要求受信部、１０４…ロケーション情報選択部、１０５…ロケーション情報送信部、１０６…配信要求受信部、１０７…受信情報格納部、１１０…アクセス情報格納部。
【図１】
2004070503.tif 000003
【図２】
2004070503.tif 000004
【図３】
2004070503.tif 000005
【図４】
2004070503.tif 000006
【図５】
2004070503.tif 000007